(57)【要約】【課題】釣竿への釣糸ガイドは、密に巻き付けた樹脂系巻糸を糸止め剤で固定され、釣糸ガイドの取り付け時に釣竿への重量が増加される。【解決手段】釣竿は、金属製巻糸を用いて、釣糸ガイドのフット部と釣竿に、粗に往復して巻き付け固定する構成であり、釣竿からフット部の先端に金属製巻糸が掛からないように、先端より終端側に寄った位置から巻き付けが開始され、フット部上で金属製巻糸が交差するように粗の間隔が調整されて巻き付けられ、巻き止め剤が巻き付けれた金属製巻糸を覆い、固定部の表面に直接接着する。【選択図】図２
2014193135.tif 000002
【特許請求の範囲】
【請求項１】
釣竿と、
前記釣竿の任意箇所に配置して固着する少なくとも１つの固定部を有する複数の釣糸ガイドと、
前記固定部と前記釣竿を巻き付けて固定する金属製巻糸と、
前記金属製巻糸を覆い、前記固定部の表面に直接接着する巻き止め剤と、を具備し、
前記金属製巻糸は、前記固定部の先端近傍の前記釣竿の巻き開始位置から、粗で間隔を空けて巻き付けて前記固定部の終端で折り返し、前記固定部から前記釣竿の巻き開始位置に、粗で間隔を空けて巻きながら戻し、前記固定部材上で、前記金属巻糸を交差させるように巻き付けることを特徴とする釣糸ガイドを備える釣竿。
【請求項２】
釣竿と、
前記釣竿の任意箇所に配置して固着する少なくとも１つの固定部を有する複数の釣糸ガイドと、
前記固定部と前記釣竿を巻き付けて固定する金属製巻糸と、
前記金属製巻糸を覆い、前記固定部の表面に直接接着する巻き止め剤と、を具備し、
前記金属製巻糸は、前記固定部の先端近傍の前記釣竿の巻き開始位置から巻き付けて前記固定部の終端で折り返し、前記固定部から前記釣竿の巻き開始位置まで巻き付けて戻し、前記固定部材上で前記金属巻糸を交差させるように密に巻き付けることを特徴とする釣糸ガイドを備える釣竿。
【請求項３】
前記釣竿において、
前記金属製巻糸は、前記釣竿から前記固定部の先端に掛からないように、該先端より前記終端側に寄った位置から巻き付けを開始することを特徴とする請求項１又は２に記載の釣糸ガイドを備える釣竿。
【請求項４】
前記釣竿は、竿尻側に配置され、両端に固定部が設けられたリールシートを具備し、
前記リールシートの固定部は、前記金属製巻糸により釣竿に巻き付けて固定され、
前記金属製巻糸は、前記固定部の先端近傍の前記釣竿の巻き開始位置から、粗で間隔を空けて巻き付けて折前記固定部の終端で折り返し、前記固定部から前記釣竿の巻き開始位置に、粗で間隔を空けて巻きながら戻し、前記固定部材上で、前記金属巻糸を交差させるように巻き付けることを特徴とする請求項１又は２に記載の釣糸ガイドを備える釣竿。
【請求項５】
前記釣糸ガイドは、樹脂製フレームと、該樹脂製フレーム内に嵌装されたガイドリングとで構成され、
前記樹脂製フレームは、前記釣竿に固定するための固定部を有し、前記固定部の表面側に、前記金属製巻糸が交差する巻き付け状態で収容する溝が形成されたことを特徴とする請求項１又は２に記載の釣糸ガイドを備える釣竿。
【請求項６】
前記金属製巻糸は、純チタン、チタン合金：αβ合金，６−４合金、β合金：Ti15-3-3-3、又は形状記憶合金：Ni-Ti, Ni-Ti-Cu, Ni-Ti-Coの何れから選択されて使用するチタン系金属の線材からなることを特徴とする請求項１又は２に記載の釣糸ガイドを備える釣竿。
【発明の詳細な説明】
【技術分野】
【０００１】
本発明は、金属製巻糸により固定される釣糸ガイドを備える釣竿に関する。
【背景技術】
【０００２】
一般的な魚釣用竿杆（以下、釣竿と称する）の中で、複数の釣糸外通し用釣糸ガイド（以下、釣糸ガイドと称する）が設けられた釣竿がある。これらの釣竿に設けられる釣糸ガイドは、使用するリールのタイプにより竿の上面又は下面の何れかに取り付けられている。 
これらの釣糸ガイドは、通常、チタンやステンレス等の耐腐食性を有する金属材料からなるフレームに、釣糸を挿通させて支持するＳｉＣ等からなるガイドリングが嵌め込まれて構成されている。
【０００３】
釣糸ガイドの取り付けは、釣竿の所望箇所に仮固定し、ポリアミド系合成繊維（ナイロン：登録商標）等の樹脂系巻糸をガイドのフット部の手前（釣竿本体）からフット部のフレームの立ち上がり部分まで、隙間ができないように密に巻き付けている。更に、巻糸の上から糸止め剤となる接着剤、例えば、エポキシ系接着剤により、巻糸が隠れるまで塗りつけて硬化させている。
【０００４】
この従来構造においては、樹脂系糸の弾性、即ち、伸びにより釣糸ガイドが動きやすい状況となり、遠投タイプの釣竿であれば、遠投時に釣糸ガイドに捻れが発生する事態や、また他タイプの釣竿においても、魚が掛かった時の魚信（振動）をガイドの動きにより減衰されて手元まで上手く伝えていない事態もある。
【０００５】
このナイロン等の樹脂系巻糸に対して、例えば、特許文献１には、ステンレス製の線材を巻糸として、ガイド固定に利用した発明が提案されている。ここでは、固定するガイドのフット部の底面が当接する釣竿側に下巻きを行い、負荷が掛かった際に、フット部が釣竿へ食い込む等による損傷を防止する技術が提案されている。このような強度が必要な仕様は、引きの強い大型の対象魚に対して効果を奏する。また、特許文献２には、φ０．１〜０．２ｍｍのチタン製の線材を巻糸に用いて、樹脂系巻糸と同様に、釣糸ガイドのフット部に密に巻き付けて固定し、取り付け強度を上げる技術が提案されている。
【先行技術文献】
【特許文献】
【０００６】
【特許文献１】特開２００９−２１９３７２号公報
【特許文献２】特開２００４−０１６０３２号公報
【発明の概要】
【発明が解決しようとする課題】
【０００７】
近年は、釣竿、リール及び仕掛けの小型化及び軽量化、所謂、ライトタックル化が提唱されている。これは、釣竿の手持ちやリールの操作時に掛かるユーザへの負荷を軽減させて、年配者や女性等の比較的非力なユーザに適して、長時間に渡る釣行による疲労感を減少させる効果がある。また非力なユーザだけではなく、釣竿及びリールの軽量化を図ることにより、これまでと同じ大きさの対象魚が掛かっても、より魚の引き込みの強さを感じて、楽しむという趣も含んでいる。
【０００８】
しかし、タックル（釣具）の軽量化を実現するためには、仕掛けの錘重量を軽減し、道糸の号数を小さくすることとなるが、釣竿としては、目的とする対象魚を釣り上げることができる剛性と感度を損なわずに、軽量化を実現しなくてはならない。釣竿の剛性においては、使用する樹脂材料やその構造に依存し、既に細径化された釣竿が販売されている。
【０００９】
更なる釣竿の軽量化を実現するためには、釣竿本体と共に、釣糸ガイドやリールシート等の装着部品に対しても軽量化を図ることも重要である。釣竿の錘負荷の仕様値を軽減し、釣竿の細径化を実施した場合、掛かる負荷（魚）を竿全体で受けるように構成しているため、釣竿全体の曲がりに沿った道糸の曲がりが必要となり、標準的な釣竿に比べて、装着する釣糸ガイドの数が増加する傾向にある。
【００１０】
前述したように、釣糸ガイドの数を増やすだけ、釣竿の重量は増加し、特に竿先側に多く配置するほど手に掛かる重量感が増すこととなる。この点から見ると、従来の釣糸ガイドの取り付けには、樹脂系巻糸を使用しているため、巻糸の伸び等による固定強度を考慮すれば、密に巻き付けた上、巻糸を十分に覆うように糸止め剤の接着剤を使用することとなり、釣糸ガイドの取り付け時に増加されてしまう重量においては、容易に軽減化を実現することはできない。
【００１１】
前述した特許文献１においては、釣糸ガイドのフット部の下面まで、ステンレス等の金属線を巻き付けた構成であり、通常より多くの巻糸量を使用しているため、樹脂系巻糸よりも更に重量が増加し、竿先が重くなっている。また、特許文献２において、金属製巻糸は、樹脂系巻糸よりも重く、従来と同じ釣糸ガイド数であっても、従来構造と同様に巻き付ければ、固定強度が増加する反面、釣竿の重量を増加させていることになる。従って、特許文献２においても、ガイド数を増加させれば、取り付け箇所の数も増加するため、樹脂系巻糸の使用時よりも必然的に重くなる。つまり、特許文献１，２が提案する技術では、固定強度のみに着眼しており、軽量化については全く考慮されていない。
【００１２】
そこで本発明の実施形態は、釣竿の釣糸ガイドを、微小径の金属製巻糸により剛性を考慮した巻き付け方により、固定強度を維持しつつ、且つ釣竿の軽量化を実現する釣糸ガイドを備える釣竿を提供することを目的とする。
【課題を解決するための手段】
【００１３】
上記目的を達成するために、本発明に従う実施形態は、前記釣竿に固着する少なくとも１つの固定部を有する複数の釣糸ガイドと、前記釣竿の任意箇所に配置し、前記固定部と前記釣竿を巻き付けて固定する金属製巻糸と、前記金属製巻糸を覆い、前記固定部の表面に直接接着する巻き止め剤と、を具備し、前記金属製巻糸は、前記固定部の先端近傍の前記釣竿の巻き開始位置から、粗で間隔を空けて巻き付けて前記固定部の終端で折り返し、前記固定部から前記釣竿の巻き開始位置に、粗で間隔を空けて巻きながら戻し、前記固定部材上で、前記金属巻糸を交差させるように巻き付ける釣糸ガイドを備える釣竿を提供する。
【発明の効果】
【００１４】
本発明の実施形態によれば、釣竿の釣糸ガイドを、微細径の金属製巻糸により剛性を考慮した巻き付け方により、固定強度を維持しつつ、且つ釣竿の軽量化を実現する釣糸ガイドを備える釣竿を提供することができる。
【図面の簡単な説明】
【００１５】
【図１】図１は、一実施形態に係る釣糸ガイドを備える釣竿の全体的な外観構成を示す図である。
【図２】図２（ａ）は、釣糸ガイドが釣竿に取り付けられている状態を示す斜視図、図２（ｂ）は、釣糸ガイドを含む釣竿の断面構成を示す図、図２（ｃ）は、釣糸ガイドを取り付ける巻糸の状態を示す図である。
【図３】図３（ａ）は、釣竿が湾曲した際の実施形態により固定された釣糸ガイドの状態を示す断面図、図３（ｂ）は、釣竿が湾曲した際の従来構造の釣糸ガイドの状態を示す断面図である。
【図４】図４は、実施形態をトップガイドに適用して固定した状態を示す図である。
【図５】図５は、実施形態をリールシートに適用して固定した状態を示す図である。
【図６】図６（ａ）は、実施形態の金属製巻糸を適用するための樹脂材料により形成された釣糸ガイドの外観構成を示す図、図６（ｂ）は、釣糸ガイドの断面図である。
【図７】図７は、樹脂系巻糸及びチタン系巻糸で釣糸ガイドを釣竿に固定し、荷重負荷を掛けた時の変位特性を示す図である。
【発明を実施するための形態】
【００１６】
以下、図面を参照して本発明の実施形態について詳細に説明する。  
図１は、一実施形態に係る釣糸ガイドを備える釣竿の全体的な外観構成を示す図である。本実施形態の釣竿１は、竿元４上に取り付けたリールシート３にリール（図示せず）を装着して使用する構成であり、竿本体２の上面には、複数の釣糸ガイド５が間隔を空けて設けられ、竿先には、トップガイド６が設けられている。尚、本実施形態では、説明を簡素化するため、釣竿１は、一本竿、所謂ワンピースロッドを用いた例として説明する。竿本体２は、強化繊維樹脂材料により一体的に形成され、竿尻から竿先に向かい竿径がスムーズに小径化する構成である。但し、本実施形態は、複数個に分割して継ぎにより一体化する継ぎ竿であっても、同様に適用することができる。
【００１７】
次に、釣竿１へ釣糸ガイド５を固定するための構成について説明する。  
図２（ａ）は、図１に示すＡ部分を拡大して、釣糸ガイドが釣竿に取り付けられている状態を示す斜視図、図２（ｂ）は、釣糸ガイドを含む釣竿の断面構成を示す図、図２（ｃ）は、釣糸ガイドを固定している巻糸の巻き付け状態を示す図である。
【００１８】
本実施形態では、釣糸ガイド５の固定部（フット部）５ａを固定する巻糸７は、極細い径の金属製の線材を用いている。以下の説明では、金属製による線材ではあるが、巻糸と称している。この金属製巻糸としては、最も好適する金属製線材は、チタン及びチタン合金による線材が好適し、他には、ステンレス線材又は銅線材も用いることは可能である。
【００１９】
本実施形態では、チタン及びチタン合金による線材を巻糸（以下、チタン系巻糸と称する）として用いる。チタン系巻糸は、例えば、直径φ０．０４０ｍｍ〜φ０．０９５ｍｍ即ち、０．０４号〜０．３号を使用する。チタン系巻糸７の材料としては、純チタン（Ｔｉ：ＪＩＳ１種，ＪＩＳ２種等）、チタン合金（αβ合金：６−４合金［ＪＩＳ６０種］、β合金：Ti15-3-3-3等）、形状記憶合金（Ni-Ti, Ni-Ti-Cu, Ni-Ti-Co等）から竿仕様に合わせて選択して使用することができる。
【００２０】
このようなチタン系巻糸７を用いて、釣糸ガイド５を固定する巻き付け構成と、その手順について説明する。図２（ｂ）に示すように、チタン系巻糸７を釣糸ガイド５のフット部５ａと釣竿２に、粗に往復して巻き付け固定する構成である。特に、釣糸ガイド部５のフット部５ａの先端に巻糸が掛からないように、先端より終端側（ガイドリング側）に寄った途中の位置から巻き付けを開始する。
【００２１】
まず、チタン系巻糸７を釣竿１上におけるフット部５ａ先端の近傍の位置（巻き付け開始位置）から、釣竿１に１又は２周程度、巻き付ける（７-1，７-2）。その後、巻糸を張りながら、フット部５ａ上で先端よりガイドリング側に寄った位置から巻き付けを開始し（７-3，７-4）、フット部５ａ上を斜めに横断し、以降、フット部５ａの終端即ち、ガイドリング５ｃの立ち上がり部分まで巻き付ける（７-5〜７-8）。このフット部５ａの終端５ｃで２周巻き付ける（７-9〜７-13）。更に、終端５ｃで折り返し、戻る方向に巻き付けを開始し（７-14）、粗で間隔を空けて巻きながら戻し、巻き付け開始位置（７-1）まで巻き戻る（７-15〜７-21）。尚、巻き付けの間隔や巻き付け回数は、釣竿や釣糸ガイドの設計仕様に応じて適宜設定されるが、従来の密に巻き付けた構成に対して、少なくとも従来以上の固定強度を有し、且つ、間隔を空けた粗に巻き付けられていなければならない。この間隔については、原則的には、均一の力で釣糸ガイドが固定されるように等間隔でよいが、フット部で局所的に掛かる負荷が異なる場合には、その負荷に応じて間隔を変更してもよい。例えば、高い負荷となる場合には間隔を狭く、低い負荷の場合には間隔を広くしてもよい。
【００２２】
図２（ａ）に示すように、少なくとも巻き付けの往復の際に、フット部５ａ上で、往路時に巻き付けたチタン系巻糸７に対して、復路時のチタン系巻糸７が交差するように、巻き付け間隔を調整する。この例では、フット部５ａ上と、その径方向に反対側の竿本体２上の２箇所で交差する巻き付け状態となる。チタン系巻糸７を交差させた場合、図２（ｃ）に示すように、最初に巻き付けたチタン系巻糸７ａ上を交差するチタン系巻糸７ｂが、上側から張力ｆ１，ｆ２の合成による押さえつける力ｆ３をチタン系巻糸７ａに与えている。この力ｆ３によって、チタン系巻糸７ａによりフット部５ａを竿本体２に固定する力が増大する。
【００２３】
次に、巻き付けた後、チタン系巻糸７の上から糸止め材となる接着剤９、例えば、エポキシ系接着剤により、巻糸が隠れる程度に塗りつけて硬化させている。  
このチタン系巻糸７を粗に巻き付けているため、図３（ｂ）に示す従来構成と比較すると、接着剤９自体が釣竿２に直接的に固着する面積が大きくなる。即ち、釣糸ガイド５の固定に接着剤９の接着力が加わり、より強固に、釣糸ガイド５を固定することができる。これに対して、図３（ｂ）に示すように、従来のように、樹脂系巻糸１０又は、金属製巻糸１１を密に巻き付けた場合に、接着剤９は、竿本体２には十分に届かず、糸止め剤としてのみ機能している。つまり、縒り糸から成る樹脂系巻糸においては、縒り糸の間を浸透した接着剤９により、僅かな接着力が釣糸ガイド５に対して固定する力として作用する。しかし、金属製巻糸１１を密に巻き付けた場合には、接着剤９は、金属製巻糸１１を浸透することはなく、巻き付けられた際に不手際で生じるかもしれない僅かな隙間から入り込むだけである。このため接着剤９は、竿本体９まで届かず（両端部分は除く）の接着力は、糸止め剤としてのみ機能し、釣糸ガイド５に対して接着力による固定する力としては殆ど作用しない。
【００２４】
図７を参照して、（ナイロン巻糸）樹脂系巻糸及びチタン系巻糸で釣糸ガイド５を釣竿１に固定した際に、荷重負荷を掛けた時の変位特性を示す図である。図７に示すように、チタン系巻糸７に対して樹脂系巻糸１０を用いて固定した場合に、釣竿１を固定し、道糸で使用されるＰＥラインを釣糸ガイド５に掛けて、図２（ａ）に示す矢印方向ｍへ牽引による荷重負荷を掛けた場合の変位量（距離）を示している。
【００２５】
図７に示すように、チタン系巻糸に比べてナイロン巻糸の傾きが半分程度である。例えば、ナイロン巻糸１０に所定の負荷ａを掛けた場合には、７．４ｍｍの変位が生じ、反対にチタン系巻糸７に所定の負荷ａを掛けた場合には、４．３ｍｍの変位が生じる。つまり、１．７倍以上の強度さがあることを示している。
【００２６】
これらの結果、図３（ｂ）に示すように、樹脂系巻糸１０を密に巻き付けた場合に、竿本体２に負荷が掛かって湾曲した際に、フット部５ａの先端部分は、巻かれている巻糸１０を伸ばして押し上げてしまうため、接着剤９における糸界面にクラック１２を生じさせる。また、金属製巻糸１１を密に巻き付けて場合においても、金属製巻糸１１自体の伸びは僅かであっても、巻糸に比べて竿本体２の弾性の方が弱い場合、竿本体２の断面形状を変形させて、フット部５ａの先端部分が持ち上がることとなり、接着剤９における糸界面にクラック１２を発生させる。
【００２７】
これに対して、本実施形態は、図３（ａ）に示すように、接着剤９は、チタン系巻糸７に対して糸止め剤として機能すると共に、多くの部分が竿本体２に直接接着しているため、接着力が釣糸ガイド６を固定する力として作用している。更に、本実施形態のチタン系巻糸は、フット部５ａの先端には掛かってないため、竿本体２が湾曲してもフット部５ａの先端が巻糸を押し上げることはなく、エポキシ系接着剤９の弾性により凌ぐことで、クラックを発生させずに済む。この糸止め剤に入ったクラック自体は、実質的に釣竿の性能を劣化させるものではないが、クラックは目立つため、ユーザの目に止まり、釣竿に不具合が発生しているかもしれないという、不安要素となっている。
【００２８】
以上のように本実施形態は、釣竿の釣糸ガイドを微細径の金属製巻糸に巻き付けて固定して剛性を考慮した粗の巻き付けにより、固定強度を維持しつつ、且つ釣竿の軽量化を実現する。  
更に、図２（ａ）に示すフット部５ａの表面に、模様、ロゴ又はシンボルマーク等の標記表示８を設けた場合には、透明な糸止め剤を使用することで、その表現を行うことができる。
【００２９】
図４は、図１に示すＢ部分を拡大して、実施形態をトップガイド６に適用して固定した状態を示す図である。  
図４に示すように、竿本体２の先端部に装着されたトップガイド６においても、図２（ａ）において説明したように、チタン系巻糸７をトップガイド６のフット部６ａの手前で、釣竿１に一周巻き付けて、フット部５ａの先端よりガイドリング側に寄った位置から巻き付けを開始し、フット部６ａ上を斜めに横断する。以降、ガイドリングの支持部材の立ち上がり部分まで巻き付けて、この立ち上がり部分で２周巻き付ける。更に、戻る方向に巻き付けして、フット部６ａの上でチタン系巻糸７が交差するように、調整しながら巻き付けを開始した位置まで巻き戻る。このトップガイド６においても、前述した釣糸ガイド５と同等の効果を得ることができる。
【００３０】
図５は、図１に示すＣ部分を拡大して、実施形態をリールシート３に適用して固定した状態を示す図である。  
図５に示すように、竿元４上に取り付けたリールシート３においても、両側に張り出した釣糸ガイドのフット部５ａに相当する固定部３ａに対して、前述したチタン系巻糸７を粗の間隔で、固定部３ａ上でチタン系巻糸７が交差するように調整しながら巻き付け、巻き止め剤で固定している。このリールシート３においても、前述した釣糸ガイド５と同等の効果を得ることができる。
【００３１】
図６（ａ）は、実施形態の金属製巻糸を適用するための樹脂材料により形成される釣糸ガイドの外観構成を示す図、図６（ｂ）は、釣糸ガイドの断面図である。  
釣糸ガイド１１は、樹脂製フレームにより構成された公知なガイドである。つまり、釣糸ガイド１１は、プリプレグ、即ち、熱硬化性樹脂で含浸した複数層に亘るカーボン素材等の強化繊維による引き揃えや織布基材でフレームを形成して、従来の金属製フレームに対して、軽量化を実現している。
【００３２】
この釣糸ガイド１１のフット部１１ｂには、前述した図２（ａ）に示すように、フット部５ａ上でチタン系巻糸７が交差するように巻き付けると、平坦な面の上にチタン系巻糸７の太さ分が盛り上がった状態となる。尚、図６（ａ）では、一脚（所謂、シングルフット）の支脚部を有する釣糸ガイド１１を示しているが、二脚（所謂、ダブルフット）の仕様であっても同様である。
【００３３】
本実施形態では、樹脂製のフット部５ａ上面に、少なくともチタン系巻糸７の径の深さのガイド溝１２を形成する。勿論、フット部５ａ上で交差するように巻き付けるため、ガイド溝１２においても、交差したガイド溝１２として形成されている。これらのガイド溝１２を利用して、前述した図２（ｂ）で説明した手順で、チタン系巻糸７を釣糸ガイド５のフット部５ａと釣竿２に、粗に往復して巻き付け固定する。
【００３４】
このガイド溝１２を利用して、チタン系巻糸７で釣糸ガイドを竿本体２に固定すると、重なり部分を含みチタン系巻糸７がフット部１１ｂの上面から突出することがなくなり、略平坦面となる。このフット部上面を平坦な面とすることで、従来では、フットボールのように中央が球状に膨らんだ形状に形成されていた糸止め剤（接着剤９）も均一な厚さで平坦に形成することができる。特に、チタン系巻糸７は、ガイド溝１２内に収容された状態で固定されるため、接着剤９は、従来に比べて、薄い厚みでチタン系巻糸７の糸止めとして機能させることができ、且つ、釣糸ガイド１１を竿本体に固定する作用としても大きく担うことができる。
【００３５】
よって、ガイド溝１２を利用することで、巻糸の巻き付けによる大きな凹凸がなくなり、釣竿が平坦なテーパー面で形成できるため、外観のよい釣竿が実現できる。また、樹脂製フレームによりフット部も樹脂で形成されているため、フット部の釣竿との当接面を、釣竿の表面外径の曲面に合わせることで、釣糸ガイドを釣竿に宛がった際に隙間なく密着させることも可能であり、加えて、本実施形態におけるチタン巻糸で巻き付けて固定することにより、撚り効果的に、釣糸ガイドを釣竿に固定することができる。尚、チタン系巻糸７は、極細いため、一般的な金属フレームを用いた釣糸ガイドのフット部（金属製）に溝を切削により形成して利用することも可能である。
【００３６】
また、樹脂製フレームによるトップガイドにおいても、ガイド溝１２が形成できれば、同等の構成を実現でき、同等の効果を得ることができる。特に、トップガイドにおいては、糸止め剤を薄く平坦に形成することができるため、トップガイドを通過する道糸が纏わり付き難くなり、よりスムーズに通過させることができる。
【００３７】
以上説明した実施形態によれば、樹脂系巻糸に変わって、金属製巻糸であるチタン系巻糸を用いて、釣糸ガイド、リールシート等の装着部品の固定部（フット部）を巻き固定に使用し、粗で固定部上に巻糸の重なりを作ることにより、少ない糸巻量で強固に固定することができ、軽量化を実現する。本実施形態では、直径φ０．０４０ｍｍ〜φ０．０９５ｍｍ程度の極細いチタン系巻糸を用いて、粗に巻き付ける例について説明したが、粗に限定されるものではなく、フット部先端と釣竿との間に巻糸が掛からなければ、フット部上を交差するように密に巻き付けてもよい。
【００３８】
チタン系巻糸は、樹脂系巻糸に対して殆ど伸びがないため、高い剛性で釣糸ガイドを竿に固定するため、釣竿上で釣糸ガイドが動かないように、固着することができる。また、遠投用釣竿に用いた場合には、仕掛けを投げる際に、掛かる負荷に変形せず、エネルギーロスを少なくすることができる。また、強固に釣糸ガイドを固定しているため、振動伝達特性が改善され、釣り人に魚信を減衰せずに伝えることができ、感度のよい竿として提供することができる。また、本実施形態による釣竿は、前述したライトタックルの釣竿にも好適する。
【符号の説明】
【００３９】
１…釣竿、２…竿本体、３…リールシート、４…竿元、５…釣糸ガイド、５ａ…フット部（固定部）、５ｂ…ガイドリング、６…トップガイド、７，７ａ，７ｂ…チタン系巻糸、８…標記表示、９…接着剤、１０…樹脂系巻糸、１１…金属製巻糸、１２…クラック。
【図１】
2014193135.tif 000003
【図２】
2014193135.tif 000004
【図３】
2014193135.tif 000005
【図４】
2014193135.tif 000006
【図５】
2014193135.tif 000007
【図６】
2014193135.tif 000008
【図７】
2014193135.tif 000009